(57)【要約】      （修正有）【課題】ブラシの毛部とブラシハンドルが射出成型の方式により一体成型され、ブラシの毛部とブラシハンドルの両者の間に、如何なる隙間がなく、垢と液体がブラシの表面に残留することを、避けてもよく、細菌を生成する恐れがなく、従来のブラシに対して、より衛生面で信頼できる。【解決手段】一体成型のシームレス・ブラシが、ブラシの毛の排列・整理、ブラシの毛の型突き抜け、ひっくり返し型締および射出成型などのステップにより、両者の間に如何なるシームが無い方式にて、ブラシの毛部２０とブラシハンドル１０を一体成型する。該ブラシの毛部が、少なくとも一つのブラシの毛件を含んでなり、全てのブラシの毛件が複数個の底部により一体に溶接されたブラシの毛ユニットから構成され、各ブラシの毛ユニットの上半部が互いに分離しする。【選択図】図１
2015104666.tif 000002
【特許請求の範囲】
【請求項１】
一体成型のシームレス・ブラシは、一つのブラシハンドルと一つのブラシの毛部を含んでなり、該ブラシハンドルが手持ちの操作に供し、更に該ブラシの毛部と該ブラシハンドルが、一体成型し且つ両者の間にシームがなく、該ブラシの毛部が、少なくとも一つのブラシの毛件を含んでなり、全てのブラシの毛件が複数個の底部により一体に溶接されたブラシの毛ユニットから構成され、各ブラシの毛ユニットの上半部が互いに分離し、且つその頂端が異なる高低の段階を呈するように排列されることを特徴とする、一体成型のシームレス・ブラシ。
【請求項２】
該複数個のブラシの毛ユニットから構成されたブラシの毛件が、外低内高のテーパー形状の頂面を一つ有することを特徴とする、請求項1に記載の一体成型のシームレス・ブラシ。
【請求項３】
該複数個のブラシの毛ユニットから構成されたブラシの毛件が、多辺形の横断面を一つ有することを特徴とする、請求項1に記載の一体成型のシームレス・ブラシ。
【請求項４】
該多辺形の横断面が、ひし形であることを特徴とする、請求項3に記載の一体成型のシームレス・ブラシ。
【請求項５】
該ブラシの毛部が、複数個のブラシの毛件から構成されることを特徴とする、請求項1に記載の一体成型のシームレス・ブラシ。
【請求項６】
該複数個のブラシの毛件が、異なる高さの段階を呈するように排列されることを特徴とする、請求項5に記載の一体成型のシームレス・ブラシ。
【請求項７】
該ブラシの毛部が、外低内高の弧形の頂面を一つ有することを特徴とする、請求項1に記載の一体成型のシームレス・ブラシ。
【請求項８】
一体成型のシームレス・ブラシの製造方法は、請求項1に記載の一体成型のシームレス・ブラシを製造するために用いられる方法であって、下記のステップを含んでなるが、
ブラシの毛の排列・整理のステップが、複数本のブラシの毛ユニットを1つまみのブラシの毛件となるように排列・整理し、且つ該ブラシの毛ユニットの底部を互いに溶接して一体に固定すること、
ブラシの毛の型突き抜けのステップが、これらのブラシの毛件を、それぞれ逆方向の方式にて一つの治具の対応する穿孔の中へ置き入れ、且つ一つの推進装置により、これらのブラシの毛件を、一つの上金型の対応する穿孔の中へ押し込み、更にこれらのブラシの毛件の一つの下半部を該上金型の外に露出させること、
ひっくり返し型締のステップが、該上金型をひっくり返した後に、一つの下金型を合わせて一つの型穴を形成するように包囲し、これらのブラシの毛件の下半部を該型穴の内に位置させること、
射出成型のステップが、射出成型を介して該型穴の中に一つのブラシハンドルを成型し、これらのブラシの毛部の下半部と該ブラシハンドルを、シームレスの方式にて一体成型することを特徴とする、一体成型のシームレス・ブラシの製造方法。
【発明の詳細な説明】
【技術分野】
【０００１】
本発明は、ブラシに関するもので、特にブラシの毛部とブラシハンドルを一体成型し且つ両者の間に如何なる隙間がないブラシを、指す。本発明が、同時に該ブラシを製造する新規な方法に関するものである。
【背景技術】
【０００２】
ブラシの種類、例えば歯ブラシ，洗顔用ブラシ，清潔用ブラシ等が非常に多くなり、応用の領域が広範に分布し、構造上では、主としてブラシの毛部分およびユーザーの握り持ちに供するブラシハンドル部分を含んでなる。
【０００３】
そして既存の技術中において、ブラシの毛が、主として植毛の方式を介してブラシハンドルの中に植えて入り、その植毛の工法が、複数のブラシの毛を半分に折った後に、半分に折った中心箇所に、一つの硬質シート、例えば鉄片などを添布し、その後に予めブラシハンドルの上に設けられた固定ホールの中に押し付けて嵌入され、ひいてはブラシハンドルに植えて入って固定できる。
【０００４】
然しながら、植毛の成型のブラシブラシを介し、しばしばブラシの毛と固定ホールとの間に、依然として隙間があり、ひいては汚い垢を累積して係止しやすくなり、該隙間に液体が残留して細菌をより生成しやすくなり、衛生を壊す恐れがあり、更にブラシの毛が半分に折ったので、容易に一定の時間を使用した後に、その元の弾性回復力により傾斜を生成し、ひいては長時間の使用に耐えない。
【０００５】
伝統的なブラシのブラシ毛部分が、互いに分離する複数本のブラシの毛ユニットから構成され、1本ごとのブラシの毛ユニットが、例えば人体の皮膚，口腔，地面などの被スクラブ表面との間に、点接触状態を呈し、被スクラブ表面の隙間部分、例えば歯，歯ぐき，歯の間に隣接す歯区間，および歯と歯ぐきとの間のへり区を、有効に清潔できないが、既存の技術中におけるブラシの毛のピーク箇所に整然を呈し、且つ1本ごとのブラシの毛の排列断面が環状となり、このようなブラシの毛がブラシして動く時に、幾つかの隙間に対し、余り優れる清潔効果を生成しにくくなる。
【発明の概要】
【発明が解決しようとする課題】
【０００６】
本発明の目的は、即ちブラシを提供するもので、そのブラシの毛部とブラシハンドルが射出成型の方式により一体成型され、ブラシの毛部とブラシハンドルの両者の間に、如何なる隙間がなく、垢と液体がブラシの表面に残留することを、避けてもよく、細菌を生成する恐れがなく、従来のブラシに相対してより衛生・信頼できる。
【０００７】
本発明の副次的な目的は、一体成型のシームレス・ブラシを提供するもので、そのブラシの毛部が、少なくとも一つのブラシの毛件を含んでなり、全てのブラシの毛件が複数個の底部により一体に溶接されたブラシの毛ユニットから構成され、全てのブラシの毛件が、例えば人体の皮膚，口腔，地面などの被スクラブ表面との間に、面接触に近似する多点接触状態を呈し、そして被スクラブ表面の隙間部分、例えば歯，歯ぐき，歯の間に隣接す歯区間，および歯と歯ぐきとの間のへり区などを有効に清潔できる。
【０００８】
本発明の他の目的は、一体成型のシームレス・ブラシを提供するもので、各ブラシの毛ユニットの上半部が互いに分離し、且つその頂端が高低の段階を呈するように排列され、これにより、ブラシの毛部と被スクラブ表面との間の接触面積を増加し、そのスクラブ清潔効果を向上する。
【課題を解決するための手段】
【０００９】
前述の発明の目的を達成できる一体成型のシームレス・ブラシは、一つのブラシハンドルと一つのブラシの毛部を含んでなり、該ブラシハンドルが手持ちの操作に供し、更に該ブラシの毛部と該ブラシハンドルが、一体成型し且つ両者の間にシームがなく、該ブラシの毛部が、少なくとも一つのブラシの毛件を含んでなり、全てのブラシの毛件が複数個の底部により一体に溶接されたブラシの毛ユニットから構成され、各ブラシの毛ユニットの上半部が互いに分離し、且つその頂端が異なる高低の段階を呈するように排列される。
【００１０】
本発明のより好ましい実施例の中において、その中でも、該複数個のブラシの毛ユニットから構成されたブラシの毛件が、外低内高のテーパー形状の頂面を一つ有する。
【００１１】
本発明のより好ましい実施例の中において、その中でも、該複数個のブラシの毛ユニットから構成されたブラシの毛件が、多辺形の横断面を一つ有する。
【００１２】
本発明のより好ましい実施例の中において、その中でも、該多辺形の横断面が、ひし形である。
【００１３】
本発明のより好ましい実施例の中において、その中でも、該ブラシの毛部が、複数個のブラシの毛件から構成される。
【００１４】
本発明のより好ましい実施例の中において、その中でも、該複数個のブラシの毛件が、異なる高さの段階を呈するように排列される。
【００１５】
本発明のより好ましい実施例の中において、その中でも、該ブラシの毛部が、外低内高の弧形の頂面を一つ有する。
【００１６】
前述の一体成型のシームレス・ブラシを製造するために用いられる方法は、下記のステップを含んでなるが、
ブラシの毛の排列・整理のステップが、複数本のブラシの毛ユニットを1つまみのブラシの毛件となるように排列・整理し、且つ該ブラシの毛ユニットの底部を互いに溶接して一体に固定すること、
ブラシの毛の型突き抜けのステップが、これらのブラシの毛件を、それぞれ逆方向の方式にて一つの治具の対応する穿孔の中へ置き入れ、且つ一つの推進装置により、これらのブラシの毛件を、一つの上金型の対応する穿孔の中へ押し込み、更にこれらのブラシの毛件の一つの下半部を該上金型の外に露出させること、
ひっくり返し型締のステップが、該上金型をひっくり返した後に、一つの下金型を合わせて一つの型穴を形成するように包囲し、これらのブラシの毛件の下半部を該型穴の内に位置させること、
射出成型のステップが、射出成型を介して該型穴の中に一つのブラシハンドルを成型し、これらのブラシの毛部の下半部と該ブラシハンドルを、シームレスの方式にて一体成型すること。
【図面の簡単な説明】
【００１７】
【図１】本発明の一体成型のシームレス・ブラシの第1の実施例の側面図である。
【図２】図1の平面図である。
【図３】該一体成型のシームレス・ブラシの中におけるブラシの拡大図である。
【図４】図3の中の4-4線から描かれた横断面図である。
【図５】本発明の一体成型のシームレス・ブラシの第2の実施例の側面図である。
【図６】図5の平面図である。
【図７】本発明の一体成型のシームレス・ブラシの第3の実施例の側面図である。
【図８】図7の平面図である。
【図９】本発明の一体成型のシームレス・ブラシの第4の実施例の側面図である。
【図１０】図9の平面図である。
【図１１】本発明の一体成型のシームレス・ブラシの第5の実施例の側面図である。
【図１２】図11の平面図である。
【図１３】該一体成型のシームレス・ブラシの製造方法のフローチャートである。
【図１４】該製造方法の中におけるブラシの毛の型突き抜けステップの動作模式図である。
【図１５】該製造方法の中におけるひっくり返し型締ステップ及び射出成型ステップの動作模式図である。
【発明を実施するための形態】
【００１８】
同時に図1ないし図2を参照するが、本発明の提供する一体成型のシームレス・ブラシの第1の実施例は、一つのブラシハンドル10と一つのブラシの毛部20を含んでなり、該ブラシハンドル10が手持ちの操作に供し、更に該ブラシの毛部20と該ブラシハンドル10が、一体成型し且つ両者の間にシームがなく、該ブラシの毛部20が、少なくとも一つのブラシの毛件21を含んでなり、全てのブラシの毛件21が複数個の底部22により一体に溶接されたブラシの毛ユニット23から構成され、各ブラシの毛ユニット23の上半部24が互いに分離し、且つその頂端25が異なる高さの段階を呈するように排列される。第1の実施例の中において、該ブラシの毛部20が複数個のブラシの毛件21を有し、且つ全てのブラシの毛件21が互いに間隔して歯ブラシに適用する形状となるように排列される。
【００１９】
図3に示すように、該ブラシの毛件21が複数個のブラシの毛ユニット23から構成され、且つ全てのブラシの毛ユニット23の頂端25が異なる高さの段階を呈するように排列され、好ましくは該ブラシの毛件21が外低内高のテーパー形状の頂面を一つ有する。該第1の実施例を使用して口腔と歯を清潔にする時に、高低の段階を呈するように排列される各ブラシの毛ユニット23が、比較的簡単に歯の間の各隙間に伸ばして入り、例えば歯，歯ぐき，歯の間に隣接す歯区間，および歯と歯ぐきとの間のへり区などに、最も優れる清潔の効果を発揮するが、同時に高低の段階のように排列される各ブラシの毛ユニット23と歯との間に、面接触に近似する多点接触状態を呈し、これにより、ブラシの毛部20と歯の歯面との間の接触面積を増加し、そのスクラブ清潔効果を向上する。
【００２０】
図4に示すように、該複数個のブラシの毛ユニット23から構成されたブラシの毛件21が、多辺形の横断面を一つ有し、ひし形が好ましい。該ひし形の断面のブラシの毛件21が歯の歯区間とへり区に伸ばして入る時に、複数点に歯の抵抗力を受ける可能性があり、複数点に力を受けることにより、かき乱しと絞りに近似する動作形態を一つ生成し、歯の齒垢をより有効に清潔できる。
【００２１】
同時に図5と図6を参照するが、これが一体成型のシームレス・ブラシの第2の実施例で、その主要な構造と特徴が前述の第1の実施例と同じで、以下に異なる部分のみについて詳細な説明を行うが、該第2の実施例の主要な相違は、全てのブラシの毛ユニット23の頂端25が同じ高さの排列方式を呈するものである。
【００２２】
同時に図7と図8を参照するが、これが本発明の一体成型のシームレス・ブラシの第3の実施例で、その主要な構造と特徴が前述の第1の実施例と同じで、以下に異なる部分のみについて詳細な説明を行うが、該第3の実施例の主要な相違は、該複数個のブラシの毛ユニット23から構成されたブラシの毛件21が、円形の横断面を一つ有するものである。
【００２３】
同時に図9と図10を参照するが、これが本発明の一体成型のシームレス・ブラシの第4の実施例で、その主要な構造と特徴が前述の第1の実施例と同じで、以下に異なる部分のみについて詳細な説明を行うが、該第4の実施例の主要な相違は、該ブラシの毛部20が一つのブラシの毛件21のみを有し、該ブラシの毛件21の上における各ブラシの毛ユニット23が、殆どシームレスの方式により互いに緊密な排列を行い、且つ該ブラシの毛部20が外低内高の弧形の頂面26を一つ有し、洗顔ブラシに適用するブラシを構成するものである。
【００２４】
同時に図11と図12を参照するが、これが本発明の一体成型のシームレス・ブラシの第5の実施例で、その主要な構造と特徴が前述の第4の実施例と同じで、以下に異なる部分のみについて詳細な説明を行うが、該第5の実施例の主要な相違は、該ブラシの毛部20の頂面27が一つの平面であるものである。
【００２５】
同時に図13ないし図15を参照するが、前述の一体成型のシームレス・ブラシを製造するために用いられる方法は、下記のステップを含んでなるが、
ブラシの毛の排列・整理のステップが、複数本のブラシの毛ユニット23を1つまみのブラシの毛件21となるように排列・整理し、且つ該ブラシの毛ユニット23の底部22を互いに溶接して一体に固定すること、
ブラシの毛の型突き抜けのステップが、これらのブラシの毛件21を、それぞれ逆方向の方式にて一つの治具30の対応する穿孔31の中へ置き入れ、且つ一つの推進装置（未図示）により、これらのブラシの毛件21を、一つの上金型40の対応する穿孔41の中へ押し込み、更にこれらのブラシの毛件21の一つの下半部28を該上金型40の外に露出させること、
ひっくり返し型締のステップが、該上金型40をひっくり返した後に、一つの下金型42を合わせて一つの型穴43を形成するように包囲し、これらのブラシの毛件21の下半部28を該型穴43の内に位置させること、
射出成型のステップが、射出成型を介して該型穴43の中に一つのブラシハンドル10を成型し、これらのブラシの毛件21の下半部28と該ブラシハンドル10を、シームレスの方式にて一体成型すること。
【００２６】
本発明の提供する一体成型のシームレス・ブラシ及びその製造方法は、従来のブラシと互いに比較する時に、本発明のブラシのブラシ毛部とブラシハンドルが射出成型の方式により一体成型され、両者の間に如何なるシームがないので、垢と液体がブラシの表面に残留することを、避けてもよく、細菌を生成する恐れがなく、従来のブラシに相対してより衛生・信頼できるが、且つブラシの毛部が、少なくとも一つのブラシの毛件を含んでなり、全てのブラシの毛件が複数個の底部により一体に溶接されたブラシの毛ユニットから構成され、全てのブラシの毛件が、例えば人体の皮膚，口腔，地面などの被スクラブ表面との間に、面接触に近似する多点接触状態を呈し、そして被スクラブ表面の隙間部分、例えば歯，歯ぐき，歯の間に隣接す歯区間，および歯と歯ぐきとの間のへり区などを有効に清潔できる。各ブラシの毛ユニットの上半部が互いに分離し、且つその頂端が高低の段階を呈するように排列され、これにより、ブラシの毛部と被スクラブ表面との間の接触面積を増加し、そのスクラブ清潔効果を向上する。
【００２７】
ただ前記に掲示された図面，説明は、本発明の実施例のみであり、いかなる当該技術をよく分かる者でも、前記の説明に基づいて他の様々な改良が出来るが、そしてこれらの変更が既に本発明の発明精神及び以下の限定された特許請求の範囲中に属する。
【００２８】
本発明は、更に以下の詳細な説明および図面によって、その多くの利点を理解できる。
【符号の説明】
【００２９】
10  ブラシハンドル
20  ブラシの毛部
21  ブラシの毛件
22  底部
23  ブラシの毛ユニット
24  上半部
25  頂端
26  頂面
27  頂面
28  下半部
30  治具
31  穿孔
40  上金型
41  穿孔
42  下金型
43  型穴
【図１】
2015104666.tif 000003
【図２】
2015104666.tif 000004
【図３】
2015104666.tif 000005
【図４】
2015104666.tif 000006
【図５】
2015104666.tif 000007
【図６】
2015104666.tif 000008
【図７】
2015104666.tif 000009
【図８】
2015104666.tif 000010
【図９】
2015104666.tif 000011
【図１０】
2015104666.tif 000012
【図１１】
2015104666.tif 000013
【図１２】
2015104666.tif 000014
【図１３】
2015104666.tif 000015
【図１４】
2015104666.tif 000016
【図１５】
2015104666.tif 000017